(57)【要約】【課題】柱状部材を支持する部位の高さ（レベル）を簡単に調整することができ、施工した後に柱状部材を切断する等の手間を省くことができる新規な簡易基礎及びこの簡易基礎の施工方法を提供する。【解決手段】底板部２、複数の側板部３，４、天板部５及び傾斜ピン４３，４４が挿通される複数の傾斜ガイド管７，８と、を備え、上記底板部２には、下端側が地中に垂直に埋設された垂直ピン４１が挿通される挿通穴２ａが形成されてなるとともに、上記底板部２から上記天板部５までの間には、上記挿通穴２ａから挿通された上記垂直ピン４１の上端に載置され上下方向に伸縮操作可能な高さ調節装置１１が配置できる装置配置空間１０が形成されてなり、上記高さ調節装置１１の伸長操作により該高さ調節装置１１の上端が上記天板部５に当接することに伴い上記底板部２が地上よりも浮き上がるように構成されてなる。【選択図】  図８
2014084664.tif 000002
【特許請求の範囲】
【請求項１】
底板部と、この底板部から上方に起立してなる複数の側板部と、上記複数の側板部の上端に固定され上記底板部と平行となされ構造物等の被支持部材を支持する天板部と、上記側板部に固定され鉛直方向に対して鋭角が形成されるように傾斜してなるとともに少なくとも下端側が地中に打ち込まれる傾斜ピンが挿通される複数の傾斜ガイド管と、を備え、
上記底板部には、下端側が地中に垂直に埋設された垂直ピンが挿通される挿通穴が形成されてなるとともに、上記底板部から上記天板部までの間には、上記挿通穴から挿通された上記垂直ピンの上端に載置され上下方向に伸縮操作可能な高さ調節装置が配置できる装置配置空間が形成されてなり、上記高さ調節装置の伸長操作により該高さ調節装置の上端が上記天板部に当接することに伴い上記底板部が地上よりも浮き上がるように構成されてなることを特徴とする簡易基礎。
【請求項２】
前記複数の側板部は、互いに平行に対向する第１及び第２の側板部からなり、前記傾斜ガイド管は、上記第１の側板部の中途部に固定された第１の傾斜ガイド管と、上記第２の側板部の中途部に固定された第２の傾斜ガイド管と、上記第１の側板部の一側と第２の側板部の一側との両方に固定されてなる第３の傾斜ガイド管と、上記第１の側板部の他側と第２の側板部の他側との両方に固定されてなる第４の傾斜ガイド管との全部で４つの傾斜ガイド管であることを特徴とする請求項１記載の簡易基礎。
【請求項３】
前記それぞれの側板部又は第１及び第２の側板部の中途部には、傾斜した切欠き部が形成されてなり、これらの切欠き部に前記傾斜ガイド管又は第１及び第２の傾斜ガイド管がそれぞれ固定されてなることを特徴とする請求項１又は２記載の何れかの簡易基礎。
【請求項４】
前記天板部の下方には、当接部が固定され、前記高さ調節装置は、該高さ調節装置の伸長操作により上端が該天板部の下面ではなく上記当接部に当接するように構成されてなることを特徴とする請求項１，２又は３記載の何れかの簡易基礎。
【請求項５】
前記請求項１，２，３又は４記載の何れかの簡易基礎を用いてなる簡易基礎の施工方法であって、
上端が地表から上方に突出した状態となるように地中に垂直ピンを垂直に打ち込む垂直ピン打ち込み工程と、
前記簡易基礎を構成する底板部に形成された挿通穴に、上記垂直ピンを該底板部の下方から挿通する垂直ピン挿通工程と、
上記垂直ピンの上端に前記高さ調節装置を載置する高さ調節装置載置工程と、
上記高さ調節装置を伸長操作し簡易基礎の上端の高さを所定の高さに調節する高さ調節工程と、
前記簡易基礎を構成するそれぞれの傾斜ガイド管又は第１ないし第４の傾斜ガイド管に、傾斜ピンを挿通するとともに該傾斜ピンを地中に打ち込む傾斜ピン打ち込み工程と、
前記高さ調節装置を上記垂直ピン上から取り除く高さ調節装置除去工程と、を備えてなることを特徴とする簡易基礎の施工方法。
【発明の詳細な説明】
【技術分野】
【０００１】
本発明は、看板やフレーム或いは構造物等を支持するために地上に施工される簡易基礎及びこの簡易基礎の施工方法に関するものである。
【背景技術】
【０００２】
上記構造物等を支持するために、地上又は地中に設置される簡易基礎としては、これまで種々のものが提案されている。例えば、特許文献１に開示された簡易基礎は、上記構造物等を支持する柱状部材の下端側が挿通され支持される垂直円筒部と、それぞれ基端がこの垂直円筒部の外周に複数溶接されてなりそれぞれ該垂直円筒部から放射状に突出した接続板部と、これらの接続板部の先端に溶接されてなり下方にかけて該垂直円筒部から離間するように傾斜してなる複数の傾斜円筒部とから構成されている。そして、この特許文献１に開示された簡易基礎を施工する方法を説明すると、先ず、上記複数の傾斜円筒部内に、上方からそれぞれ打ち込みピンを挿通するとともに地中に圧入し（突き刺し）、該複数の打ち込みピンによりこの簡易基礎を固定する。次いで、上記柱状部材の下端側を上記垂直円筒部内に挿入する。また、特許文献２に開示された簡易基礎は、垂直に形成された垂直円筒部と、この垂直円筒部の上端側中途部に複数形成された上端側挿通穴と、該垂直円筒部の下端側中途部に複数形成された下端側挿通穴と、基端が上記各上端側挿通穴に内部が連通した状態で上記垂直円筒部の外周面に溶接され該垂直円筒部の軸芯との間で鋭角が形成されるように上向きに傾斜した状態で溶接された複数の上部挿通パイプと、基端が上記各下端側挿通穴に内部が連通した状態で上記垂直円筒部の外周面に溶接され該垂直円筒部の軸芯との間で鋭角が形成されるように下向きに傾斜した状態で溶接された複数の下部挿通パイプと、から構成されている。そして、この特許文献２に開示された簡易基礎を施工する方法を説明すると、先ず、上記特定の上部挿通パイプと特定の下部挿通パイプとにそれぞれ上端側を挿通するとともに、下端側は地中に圧入する（突き刺す）要領で、複数の打ち込みピンを固定する。この状態では、上記複数の打ち込みピンの上端側中途部は、上記垂直円筒部内において交差した状態となっている。次いで、上記垂直円筒部内にモルタル又はコンクリート等を充填するとともに、該モルタル又はコンクリート等の上部に柱状部材の下端を固定する固定部材を配置する。
【０００３】
したがって、上述した特許文献１や特許文献２に開示された簡易基礎によれば、簡易な方法で上記構造物等を支持し得る状態で施工することができる。
【先行技術文献】
【特許文献】
【０００４】
【特許文献１】特開２０１１−２４１５９０号公報
【特許文献２】米国特許第５０３９２５６号公報
【発明の概要】
【発明が解決しようとする課題】
【０００５】
しかしながら、上述した特許文献１に開示された簡易基礎も特許文献２に開示された簡易基礎も、該簡易基礎の高さ（レベル）が一定となるように調整して施工することができない。すなわち、簡易基礎は、看板やフレーム或いは構造物等を支持するために施工するものであり、単一で施工されることは極めて稀であり、複数の簡易基礎がそれぞれ同じレベルとなるように施工・立設される必要があるにも拘わらず、上記特許文献１や特許文献２に開示されたそれぞれの簡易基礎では、こうしたレベルを一致させることが極めて困難となる。したがって、上記特許文献１や特許文献２に開示されたそれぞれの簡易基礎では、構造物等を支持する複数の柱状部材が同一の長さに成形されている場合には、こうした簡易基礎を構成する垂直円筒部のそれぞれに、上記柱状部材を支持させた後に、該それぞれの柱状部材の上端又は下端を切断するなどしてそれぞれの柱状部材の上端位置（レベル）を調整する作業が伴わざるを得ず、ひいては工期の短縮化を阻害してしまう。
【０００６】
そこで、本発明は、上述した従来の簡易基礎が有する課題を解決するために提案されたものであって、簡易に施工することができるばかりではなく、複数施工される際にそれぞれの高さ（レベル）を簡単に且つ高精度に調整することができ、施工した後に柱状部材等を切断する等の手間を省くことができ、ひいては工期を大幅に短縮することができる新規な簡易基礎及びこの簡易基礎の施工方法を提供することを目的とするものである。
【課題を解決するための手段】
【０００７】
本発明は、上記課題を解決するために提案された簡易基礎であって、第１の発明（請求項１記載の発明）は、底板部と、この底板部から上方に起立してなる複数の側板部と、上記複数の側板部の上端に固定され上記底板部と平行となされ構造物等の被支持部材を支持する天板部と、上記側板部に固定され鉛直方向に対して鋭角が形成されるように傾斜してなるとともに少なくとも下端側が地中に打ち込まれる傾斜ピンが挿通される複数の傾斜ガイド管と、を備え、上記底板部には、下端側が地中に垂直に埋設された垂直ピンが挿通される挿通穴が形成されてなるとともに、上記底板部から上記天板部までの間には、上記挿通穴から挿通された上記垂直ピンの上端に載置され上下方向に伸縮操作可能な高さ調節装置が配置できる装置配置空間が形成されてなり、上記高さ調節装置の伸長操作により該高さ調節装置の上端が上記天板部に当接することに伴い上記底板部が地上よりも浮き上がるように構成されてなることを特徴とするものである。
【０００８】
この第１の発明に係る簡易基礎では、底板部には、下端側が地中に垂直に埋設された垂直ピンが挿通される挿通穴が形成されており、また、この底板部から上記天板部までの間には、装置配置空間が形成されている。この装置配置空間は、底板部に形成された挿通穴に挿通された垂直ピンの上端に載置されるものであり、伸縮操作により上下方向（鉛直方向）に伸長及び縮小自在な高さ調節装置が配置できる空間である。なお、この高さ調節装置は、例えば、側方から回動操作することにより上下方向に伸縮するウインチ等を用いることができる。こうした高さ調節装置を、上記垂直ピンの上端に載置した上で、該高さ調節装置の上端が上昇するように伸長操作すると、やがてこの高さ調節装置の上端が上記天板部の下面に当接し、さらに上昇するように伸長操作すると、この簡易基礎全体が上昇する。そして、所定の高さとなるように、上記高さ調節装置の操作が終了すると、上記各傾斜ガイド管内に、それぞれ該傾斜ガイド管材の上端側から傾斜ピンを挿通するとともに、該傾斜ピンの先端を地中に圧入する（打ち込む）。こうした複数の傾斜ピンを地中に圧入（打ち込む）することにより、この簡易基礎は固定され、その高さが維持された状態となる。
【０００９】
すなわち、この第１の発明に係る簡易基礎の固定方法ないしは施工方法を、施工工程の順に説明すると、以下の工程となる。先ず、所定の土地に所定の間隔で、上記垂直ピンをそれぞれ打ち込む。次いで、それぞれの垂直ピンに、この簡易基礎を構成する底板部に形成された挿通穴に挿通する。なお、この時点では、殆どの簡易基礎の底板部は、地上に載置された状態となるが、他の場所よりも部分的に低い場所に上記垂直ピンが打ち込まれた場合には、該垂直ピンの上端は、上記天板部の下面に当接し、底板部は地上から浮上した状態となる。すなわち、地上から起立し露出したそれぞれの垂直ピンの長さが、上記底板部の上面から天板部の下面に至るまでの長さよりも短い場合には、底板部が地上に載置された状態となり、長い場合には、底板部は地上から浮上した状態となる。そして、このように全ての垂直ピンのそれぞれに簡易基礎が配置されると、次いで、それぞれの垂直ピンの上端に、高さ調節装置を載置する。このとき、地上から起立し露出したそれぞれの垂直ピンの長さと高さ調節装置を最も縮小させた状態の全長（上下方向の長さ）との和の長さが、上記底板部の上面から天板部の下面に至るまでの長さよりも短い場合には、容易に該高さ調節装置を垂直ピンの上端に載置できるが、地上から起立し露出したそれぞれの垂直ピンの長さと高さ調節装置を最も縮小させた状態の全長（上下方向の長さ）との和の長さが、上記底板部の上面から天板部の下面に至るまでの長さよりも長い場合には、作業者が手指により、この簡易基礎を持ち上げて、垂直ピンの上端に載置する。この場合、高さ調節装置の上端は、天板部の下面に当接する。こうした工程が終了すると、次いで、上記高さ調節装置を伸長操作し、それぞれの簡易基礎の上端が一定の高さとなるように調整する。こうした高さ調節装置の操作により全ての簡易基礎の高さが一定となった場合には、次いで、それぞれの簡易基礎を構成する各傾斜ガイド管に上方から傾斜ピンを挿通する。こうした傾斜ピンの打ち込み作業により、それぞれの簡易基礎は固定されその位置が決定され維持される。こうした作業工程が終了すると、次いで、上記天板部に、被支持部材を固定する等して支持させる。なお、上記それぞれの高さ調節装置は、縮小操作する等して、それぞれの簡易基礎から取り除く。
【００１０】
このように、上記第１の発明に係る簡易基礎によれば、簡易に施工することができるばかりではなく、複数施工された際に高さ（レベル）を簡単且つ高精度に調整することができ、従来の簡易基礎のように、施工した後に柱状部材を切断する等の手間を省くことができ、ひいては工期を大幅に短縮することができる。さらに、この発明に係る簡易基礎によれば、構造物などを設置する地面が水平な状態ではない場合であっても容易に施工することが可能となる。
【００１１】
また、第２の発明（請求項２記載の発明）は、上記第１の発明において、前記複数の側板部は、互いに平行に対向する第１及び第２の側板部からなり、前記傾斜ガイド管は、上記第１の側板部の中途部に固定された第１の傾斜ガイド管と、上記第２の側板部の中途部に固定された第２の傾斜ガイド管と、上記第１の側板部の一側と第２の側板部の一側との両方に固定されてなる第３の傾斜ガイド管と、上記第１の側板部の他側と第２の側板部の他側との両方に固定されてなる第４の傾斜ガイド管との全部で４つの傾斜ガイド管であることを特徴とするものである。
【００１２】
この第２の発明に係る簡易基礎では、上記第１ないし第４の傾斜ガイド管のそれぞれに傾斜ピンを挿通するとともに該第１ないし第４の傾斜ピンを地中に打ち込むことができ、これら４つの傾斜ピンにより固定されるものであることから、一層安定した固定状態を実現することができる。
【００１３】
また、第３の発明（請求項３記載の発明）は、上記第１又は第２の発明の何れかにおいて、前記それぞれの側板部又は第１及び第２の側板部の中途部には、傾斜した切欠き部が形成されてなり、これらの切欠き部に前記傾斜ガイド管又は第１及び第２の傾斜ガイド管がそれぞれ固定されてなることを特徴とするものである。
【００１４】
この第３の発明では、前記それぞれの側板部又は第１及び第２の側板部の中途部には、傾斜した切欠き部が形成されてなり、これらの切欠き部に前記傾斜ガイド管又は第１及び第２の傾斜ガイド管がそれぞれ固定されてなることから、上記側板部又は第１及び第２の側板部に対して、前記傾斜ガイド管又は第１及び第２の傾斜ガイド管を安定した状態で固定することができ、各傾斜ピンの打ち込み作業において、前記傾斜ガイド管又は第１及び第２の傾斜ガイド管が上記側板部又は第１及び第２の側板部から脱落する等の危険性を回避することが可能となる。
【００１５】
また、第４の発明（請求項４記載の発明）は、上記第１，第２又は第３の発明の何れかにおいて、前記天板部の下方には、当接部が固定され、前記高さ調節装置は、該高さ調節装置の伸長操作により上端が該天板部の下面ではなく上記当接部に当接するように構成されてなることを特徴とするものである。
【００１６】
この第４の発明に係る簡易基礎によれば、天板部の上面に固定・支持される上記柱状部材又は固定部材等の被支持部材を固定する際に使用されるボルトやナット、或いはその他の締結部材又はそれらの付属物が、該天板部の下面に位置している場合であっても、高さ調節装置の上端がそれらに当接することなく上記当接部に当接することから、簡易基礎毎に正確な高さ調整ができない危険性を回避することができる。
【００１７】
なお、上記当接部は、高さ調節装置の伸長操作により該高さ調節装置の上端が確実に当接するものであれば良く、上記天板部と平行となされた板状の部材であっても、該天板部に対して垂直に形成された部材であっても良い。
【００１８】
また、第５の発明（請求項３記載の発明）は、第１，第２，第３又は第４の何れかの発明に係る簡易基礎の施工方法に係るものであって、上端が地表から上方に突出した状態となるように地中に垂直ピンを鉛直方向に打ち込む垂直ピン打ち込み工程と、前記簡易基礎を構成する底板部に形成された挿通穴に、上記垂直ピンを該底板部の下方から挿通する垂直ピン挿通工程と、上記垂直ピンの上端に前記高さ調節装置を載置する高さ調節装置載置工程と、上記高さ調節装置を伸長操作し簡易基礎の上端の高さを所定の高さに調節する高さ調節工程と、前記簡易基礎を構成するそれぞれの傾斜ガイド管又は第１ないし第４の傾斜ガイド管に、傾斜ピンを挿通するとともに該傾斜ピンを地中に打ち込む傾斜ピン打ち込み工程と、前記高さ調節装置を上記垂直ピン上から取り除く高さ調節装置除去工程と、を備えてなることを特徴とするものである。
【００１９】
上記第５の発明に係る簡易基礎の施工方法でも、上記第１，第２，第３又は第４の発明に係る何れかの簡易基礎と同じように、簡易に施工することができるばかりではなく、それぞれの高さ（レベル）を簡単且つ高精度に調整することができ、従来の簡易基礎のように、施工した後に柱状部材を切断する等の手間を省くことができ、ひいては工期を大幅に短縮することができる。
【発明の効果】
【００２０】
上記第１の発明（請求項１記載の発明）に係る簡易基礎及び第５の発明（請求項５記載の発明）に係る簡易基礎の施工方法によれば、簡易に施工することができるばかりではなく、それぞれの高さ（レベル）を簡単且つ高精度に調整することができ、従来の簡易基礎のように、施工した後に柱状部材を切断する等の手間を省くことができ、ひいては工期を大幅に短縮することができる。
【００２１】
また、第２の発明（請求項２記載の発明）に係る簡易基礎及び第５の発明（請求項５記載の発明）に係る簡易基礎の施工方法によれば、簡易基礎では、上記第１ないし第４の傾斜ガイド管のそれぞれに傾斜ピンを挿通するとともに該第１ないし第４の傾斜ピンを地中に打ち込むことにより、固定されるものであることから、一層安定した固定状態を実現することができる。
【００２２】
また、第３の発明（請求項３記載の発明）に係る簡易基礎及び第５の発明（請求項５記載の発明）に係る簡易基礎の施工方法では、前記それぞれの側板部又は第１及び第２の側板部の中途部には、傾斜した切欠き部が形成されてなり、これらの切欠き部に前記傾斜ガイド管又は第１及び第２の傾斜ガイド管がそれぞれ固定されてなることから、上記側板部又は第１及び第２の側板部に対して、前記傾斜ガイド管又は第１及び第２の傾斜ガイド管を安定した状態で固定することができ、各傾斜ピンの打ち込み作業にいて、前記傾斜ガイド管又は第１及び第２の傾斜ガイド管が上記側板部又は第１及び第２の側板部から脱落する等の危険性を回避することが可能となる。
【００２３】
また、第４の発明（請求項４記載の発明）に係る簡易基礎及び第５の発明（請求項５記載の発明）に係る簡易基礎の施工方法によれば、天板部の上面に固定・支持される上記柱状部材又は固定部材等の被支持部材を固定する際に使用されるボルトやナット、或いはその他の締結部材又はそれらの付属物が、該天板部の下面に位置している場合であっても、高さ調節装置の上端がそれらに当接することなく上記当接部に当接することから、簡易基礎毎に正確な高さ調整ができない危険性を回避することができる。
【図面の簡単な説明】
【００２４】
【図１】本発明の実施の形態に係る簡易基礎を示す斜視図である。
【図２】図１に示す簡易基礎の右側面図である。
【図３】高さ調節装置を示す斜視図である。
【図４】垂直ピンを地中に施工した状態を模式的に示す正面図である。
【図５】簡易基礎を地上に載置した状態を模式的に示す正面図である。
【図６】垂直ピンの上端に高さ調節装置を載置した状態を模式的に示す正面図である。
【図７】高さ調節装置の伸長操作により簡易基礎が地上から浮上した状態を模式的に示す正面図である。
【図８】第１及び第２の傾斜ピンをそれぞれ地中に突き刺した後の状態を模式的に示す正面図である。
【図９】簡易基礎から高さ調節装置を取り除いた状態を模式的に示す正面図である。
【図１０】第１及び第２の傾斜ピンにピン保護部材を装着した後の状態を模式的に示す正面図である。
【図１１】ピン保護部材を示す分解斜視図である。
【図１２】簡易基礎上に横架材を固定した状態を模式的に示す正面図である。
【図１３】簡易基礎上に横架材を固定した状態を模式的に示す右側面面図である。
【図１４】第２の実施の形態に係る簡易基礎を示す正面図である。
【図１５】図１２に示す簡易基礎を示す右側面図である。
【図１６】図１２に示す簡易基礎を示す平面図である。
【発明を実施するための形態】
【００２５】
以下、本発明を実施するための最良の形態に係る簡易基礎について図面を参照しながら詳細に説明し、次いで、この簡易基礎の施工方法を説明する。
【００２６】
この実施の形態に係る簡易基礎１は、鉄を素材としてなるとともに表面が塗料により塗装され又はメッキ処理等の防錆処理がされてなるものであり、図１に示すように、板状に成形された底板部２と、この底板部２の一端から垂直に起立してなる第１の側板部３と、上記底板部２の他端から垂直に起立してなり、上記第１の側板部３と平行となされた第２の側板部４と、上記底板部２の上方に形成され該底板部２と平行となされ一端は上記第１の側板部３の上端に固定されてなり他端は上記第２の側板部４の上端に固定されてなる天板部５とを備えている。
【００２７】
上記底板部２は、本実施の形態に係る簡易基礎１では、左右方向に長さを有する長方形状に成形されてなるものであり、この底板部２の中央には、図１又は図２に示すように、円形状の挿通穴２ａが穿設されている。また、この底板部２の角部の近傍には、円形状とされた図示しない一方の開口が形成されており、上記角部と対角線上に位置する角部の近傍には円形状とされた図示しない他方の開口が形成されている。また、上記天板部５は、正方形状に成形されてなるとともに、上記底板部２と平行とされている。なお、この天板部５には、後述する横架材を固定する複数本のボルトが挿通されるボルト挿通穴５ａがそれぞれ穿設されている。そして、この天板部５から上記底板部２には、上記第１の側板部３及び第２の側板部４が溶接により固定されている。換言すれば、上記底板部２からはそれぞれ下端が上記第１及び第２の側板部３，４が垂直に起立した状態で固定されている。これら第１の側板部３は、上記天板部５の左端から該天板部５の左端の長さと同じ幅で垂下してなり、中途部からは該天板部５の左端の長さよりも長尺な幅とされている。同じように、第１の側板部４も、それぞれ同一の形状に成形されてなるものであり、上記天板部５の右端から該天板部５の右端の長さと同じ幅で垂下してなり、中途部からは該天板部５の右端の長さよりも長尺な幅とされている。
【００２８】
そして、上記第１の側板部３の下端側中途部には、鉛直方向に対して鋭角を形成するように傾斜した第１の切欠き部３ａが形成され、また、上記第２の側板部４の下端側中途部には、鉛直方向に対して鋭角を形成するように傾斜するとともに上記第１の切欠き部３ａとは交差する方向に傾斜した第２の切欠き部４ａが形成され、上記第１の切欠き部３ａの間には本発明を構成する第１の傾斜ガイド管７が溶接され、上記第２の切欠き部４ａの間には第２の傾斜ガイド管８が溶接されている。すなわち、上記第１の傾斜ガイド管７と第２の傾斜ガイド管８とは、やや離間した状態で交差する方向に配置されている。そして、この第１の傾斜ガイド管７の下端は傾斜して切断されてなり上記底板部２の上面であって上記一方の開口を取り囲むように固定されている。また、上記第２の傾斜ガイド管８の下端は傾斜して切断されてなり上記底板部２の上面であって上記他方の開口を取り囲むように固定されている。なお、これら第１及び第２の傾斜ガイド管７，８はそれぞれ同じ長さ・形状に成形されている。また、上記第１の側板部３であって幅が長尺とされた部位は、上記第１の傾斜ガイド管７の下方に位置しており、また、上記第２の側板部４であって幅が長尺とされた部位は、上記第２の傾斜ガイド管８の下方に位置している。
【００２９】
そして、本実施の形態に係る簡易基礎１では、上記天板部５の下方に位置し、一端は上記第１の側板部３の上端側の内側面に溶接され他方単は上記第２の側板部４の上端側の内側面に溶接されてなる当接板部９が溶接されている。この当接板部９は、本発明を構成する当接部であって、図１に示すように、長方形状に成形されてなり、上記天板部５に対して垂直方法に幅を有している。そして、上記当接板部９から上記底板部２までの間は、後述するように、高さ調節装置１１（図３参照）が配置される装置配置空間１０とされている。
【００３０】
この高さ調節装置１１は、本実施の形態においては、ジャッキを用いたものであり、図３に示すように、後述する垂直ピンの上端に載置されるベース部材１２と、このベース部材１２に対して一端側がそれぞれ回動自在に連結された第１ないし第４の左下リンク部材１３・・・１６と、上記第１ないし第４の左下リンク部材１３・・・１６の他端側が回動自在に連結された左昇降部材１７と、上記ベース部材１２に対して一端側がそれぞれ回動自在に連結された第１ないし第４の右下リンク部材１８・・・２１と、上記第１ないし第４の右下リンク部材１８・・・２１の他端側が回動自在に連結された右昇降部材２２と、を備えている。また、上記ベース部材１２の上方には、中央昇降部材２３が配置され、上記左昇降部材１７とこの中央昇降部材２３とは、一端側が該左昇降部材１７に回動自在に連結され他端はそれぞれ上記中央昇降部材２３に回動自在に連結されてなる第１ないし第４の左上リンク部材２４・・・２７により接続されている。また、上記右昇降部材２２と上記中央昇降部材２３とは、一端側が該右昇降部材２２に回動自在に連結され他端はそれぞれ上記中央昇降部材２３に回動自在に連結されてなる第１ないし第４の右上リンク部材２８・・・３１により接続されている。なお、上記第１ないし第４の左下リンク部材１３・・・１６と、第１ないし第４の右下リンク部材１８・・・２１と、左上リンク部材２４・・・２７と、第１ないし第４の右上リンク部材２８・・・３１は、それぞれ同一の長さに成形されている。
【００３１】
また、上記左昇降部材１７には、一方のナット３３が溶接され、上記右昇降部材２２には他方のナット３４が溶接されている。これら一方のナット３３と他方のナット３４は、互いに図示しない逆のネジが螺刻されている。そして、上記左昇降部材１７から右昇降部材２２には、昇降操作軸３５が配置されている。この昇降操作軸３５の一端側中途部には、上記一方のナット３３に螺着される図示しない一方のネジが螺刻され、該昇降操作軸３５の他端側中途部には、上記他方のナット３４に螺着される図示しない他方のネジが螺刻されている。したがって、この高さ調節装置１１は、上記昇降操作軸３５を、図示しない回動操作ハンドルにより、例えば、時計回り方向に回転操作すると、上記左昇降部材１７と右昇降部材２２とが互いに接近するとともに上記第１ないし第４の左下リンク部材１３・・・１６，第１ないし第４の右下リンク部材１８・・・２１，左上リンク部材２５・・・２７，第１ないし第４の右上リンク部材２８・・・３１がそれぞれ回動し、上記中央昇降部材２３が上昇する。逆に、上記昇降操作軸３５を、図示しない回動操作ハンドルにより、上記反時計回り方向に回転操作すると、上記左昇降部材１７と右昇降部材２２とが互いに離間するとともに上記第１ないし第４の左下リンク部材１３・・・１６，第１ないし第４の右下リンク部材１８・・・２１，左上リンク部材２５・・・２７，第１ないし第４の右上リンク部材２８・・・３１がそれぞれ回動し、上記中央昇降部材２３が下降する。なお、この高さ調節装置１１を構成するベース部材１２と中央昇降部材２３との距離が最も近接した状態（縮小した状態）における該高さ調節装置１１の高さは、少なくともこの簡易基礎１を構成する底板部２の上面から上記当接板部９の下端までの長さよりも短いものとされ、上記装置配置空間１０内において、後述するように、地中に打ち込まれた垂直ピン４１の上端に載置できる高さとされている。
【００３２】
次に、上述した本実施の形態に係る簡易基礎１を地上に施工する工程を、各工程順に詳細に説明する。
【００３３】
この簡易基礎１を施工する方法は、先ず、地面ＧＬに対して垂直に（鉛直方向に）垂直ピン４１を突き刺す（施工する）。なお、この垂直ピン４１は、地面ＧＬから所定の長さ露出した状態とする。また、こうした垂直ピン４１は、上述した要領と同じ要領で複数施工する（垂直ピン打ち込み工程）。そして、これらの垂直ピン４１の施工が終了すると、次いで、図５に示すように、底板部２に形成された上記挿通穴２ａ内に、上記垂直ピン４１を挿通し、上記簡易基礎１を地上に設置（載置）する（垂直ピン挿通工程）。なお、この際、地上ＧＬから露出した上記垂直ピン４１の中には、該垂直ピン４１の露出した長さが底板部２の上面から上記当接板部９の下端までの長さよりも長い場合もあり、こうした場合には、該垂直ピン４１の上端は該当接板部９の下端に当接した状態となる。
【００３４】
そして、上記垂直ピン挿通工程が終了すると、次いで、図６に示すように、上記装置設置空間１０内であって、上記垂直ピン４１の上端に、上記高さ調節装置１１を配置・載置する（高さ調節装置載置工程）。なお、垂直ピン４１の露出した長さが底板部２の上面から上記当接板部９の下端までの長さよりも長い場合には、作業者が簡易基礎１を持ち上げて、上記高さ調節装置１１を配置する。また、こうした高さ調節装置載置工程が終了すると、次いで、図７に示すように、上記高さ調節装置１１を構成する昇降操作軸３５を、図示しない回動操作ハンドルにより回転操作し、上記中央昇降部材２３を上昇させ、該中央昇降部材２３の上面を上記当接板部９の下端に当接させるとともに、簡易基礎１全体を所定の高さとなるように調節する（高さ調節工程）。こうした作業を、他の垂直パイプ４１においても行い、全ての簡易基礎１を所定の高さとする。
【００３５】
そして、上記高さ調節工程が終了すると、次いで、図８に示すように、上記第１の傾斜ガイド管７内及び上記第２の傾斜ガイド管８内に、第１及び第２の傾斜ピン４３，４４をそれぞれ挿通するとともに、例えばコンプレッサー等に接続された図示しない打設装置を用いるなどして、該第１及び第２の傾斜ピン４３，４４の先端側を地中に打ち込む（傾斜ピン打ち込み工程）。なお、このように第１及び第２の傾斜ピン４３，４４の打ち込む前に、予めピン保護部材４５（図１１参照）を構成する円筒体４６を該第１及び第２の傾斜ピン４３，４４の上端側に装着しておく。これらのピン保護部材４５は、図１１に示すように、それぞれ円筒体４６と、この円筒体４６の一端に装着されるキャップ４７とから構成されている。上記円筒体４６及びキャップ４７は、何れも合成樹脂（ポリエチレン樹脂）により一体成形されてなるものであり、この円筒体４６は、上記第１及び第２の傾斜ピン４３，４４の外径よりも大径とされているとともに上記第１及び第２の傾斜ガイド管７，８の内径よりも小径に成形されている。また、この円筒体４６には軸方向に直線状のスリット４６ａが形成されている。また、上記キャップ４７は、上記円筒体４６の外径に近い内径を備えるとともに上記第１及び第２の傾斜ガイド管７，８の内径よりも大径となされた円筒部４７ａと、この円筒部４７ａの一端を閉塞する閉塞部４７ｂとからなるものである。なお、上記それぞれの円筒体４６には、上記スリット４６ａが形成され、スリット４６ａを境に対向した両側端が互いに離間するよう撓むことから、上記第１及び第２の傾斜ピン４３，４４に対して簡単に装着することができる。そして、こうした傾斜ピン打ち込み工程が終了すると、次いで、上記高さ調節装置１１を縮小させた上で、図９に示すように、上記装置配置空間１０内から取り出す（高さ調節装置除去工程）。
【００３６】
そして、上記高さ調節装置除去工程が終了すると、次いで、上記第１及び第２の傾斜ピン４３，４４の上端側に、図１１に示すように、それぞれ上記ピン保護部材４５を構成するキャップ４７を上記それぞれ円筒体４６に装着する。
【００３７】
そして、上記ピン保護部材４５を構成するキャップ４７の装着作業が終了すると、次いで、図１２及び図１３に示すように、上記簡易基礎１を構成する天板部５の上面に、横架材５１を固定する。この横架材５１は、図示しない複数のボルト挿通穴が穿設され上記天板部５の上面に支持される底板部５３と、この底板部５３の一側から上方に起立してなる側板部５２と、この側板部５２の上端から水平方向に延在してなり上記底板部５３の上面に下面が対向してなる天板部５４とから構成されている。そして、この横架材５１は、上記底板部５３に穿設された複数のボルト穴に固定ボルト５５の軸部（符号は省略する。）を挿通するとともに天板部５に穿設されたボルト挿通穴５ａに挿通し、該天板部５の下方に突出した軸部にナット５６を螺着して締結する。こうした作業を他の図示しないそれぞれの簡易基礎にも行うことにより、図１３に示すように、上記横架材５１を水平な状態で固定することができる。
【００３８】
このように、上記実施の形態に係る簡易基礎１及びこの簡易基礎１の施工方法によれば、極めて簡単に施工することができるばかりではなく、複数施工される際にそれぞれの高さ（レベル）を簡単に且つ高精度に調整することができ、従来の簡易基礎のように、施工した後に柱状部材等を切断する等の手間を省くことができ、ひいては工期を大幅に短縮することができる。特に、この実施の形態係る簡易基礎１では、上記第１の側板部３と第２の側板部４とには、それぞれ第１及び第２の切欠き部３ａ，４ａが形成され、上記第１の傾斜ガイド管７は上記第１の切欠き部３ａに、また、上記第２の傾斜ガイド管８は上記切欠き部４ａに溶接されていることから、該第１の傾斜ガイド管７内に第１の傾斜ピン４３を挿通し地中に突き刺す作業や、第２の傾斜ガイド管８に内に第２の傾斜ピン４４を挿通し地中に突き刺す作業を行う際、該第１又は第２の傾斜ガイド管７，８が第１の側板部３又は第２の側板部４から脱落してしまう危険性を有効に防止することができる。また、この実施の形態に係る簡易基礎１では、天板部５の下方に当接部９が固定され、上記高さ調節装置１１は、該高さ調節装置１１の伸長操作により上端が該天板部５の下面ではなく上記当接部９に当接するように構成されてなることから、天板部５の上面に固定・支持される上記横架材５１（本発明を構成する被支持部材）を固定する際に使用される上記ボルト５５やナット５６が、該天板部５の下面に位置している場合であっても、高さ調節装置１１の上端がそれらに当接することなく上記当接部９に当接することから、簡易基礎１毎に正確な高さ調整ができない危険性を回避することができる。
【００３９】
特に、上記実施の形態に係る簡易基礎１では、上記第１及び第２の傾斜ガイド管７，８は、上述したように、第１の側板部３又は第４の側板部５にそれぞれ中途部が溶接されているとともに、それぞれの下端は上記底板部２に固定されていることから、さらに強固な固定状態を実現することができ、施工作業中に、該第１又は第２の傾斜ガイド管７，８が脱落する危険性を回避することができる。特に、上記簡易基礎の施工方法では、上述したように、第１及び第２の傾斜ピン４３，４４の打ち込む前に、予めピン保護部材４５を構成する円筒体４６を該第１及び第２の傾斜ピン４３，４４の上端側に装着しておき、その後に、該第１及び第２の傾斜ピン４３，４４の先端側をそれぞれ地中に打ち込む工程を採用していることから、該第１及び第２の傾斜ピン４３，４４と上記第１及び第２の傾斜ガイド管７，８とが磨耗したり損傷を受けることが防止される。
【００４０】
なお、上記実施の形態に係る簡易基礎１では、第１及び第２の傾斜ガイド管７，８として２つの傾斜ガイド管を構成要素としたものを図示しながら本発明を説明したが、本発明は、上記簡易基礎１のように必ずしも２つの傾斜ガイド管を構成要素としたものに限定されるものではなく、第２の実施の形態として、以下に説明するように、全部で４つの傾斜ガイド管を構成要素としたものであっても良い。
【００４１】
この第２の実施の形態に係る簡易基礎６１は、図１４，図１５又は図１６に示すように、上記第１及び第２の傾斜ガイド管７，８に加えて、第３及び第４の傾斜ガイド管６２，６３を構成要素としたものである。上記第３の傾斜ガイド管６２は、下端は上記底板部２に溶接され、下端側中途部は上記第１の側板部３に溶接されてなるとともに上端側は上記第２の側板部４に溶接されている。また、上記第４の傾斜ガイド管６３は、下端は上記底板部２に溶接され、下端側中途部は上記第２の側板部４に溶接されてなるとともに上端側は上記第１の側板部３に溶接されている。なお、上記第１及び第２の側板部３，４の一側及び他側には、これら第３及び第４の傾斜ガイド管６２，６３の外周形状の一部に対応した円弧状の切欠き部（符号は省略する。）がそれぞれ形成され、該第１及び第２の側板部３，４の中途部はこれらの切欠き部に溶接されている。また、上記第３及び第４の傾斜ガイド管６２，６３の下端は天板部２の長さ方向に傾斜して切断され、該天板部２には、上記第３及び第４の傾斜ガイド管６２，６３の内部と連通する図示しない開口が形成されてなり、第３及び第４の傾斜ガイド管６２，６３の下端はこれらの開口を囲むように溶接されている。
【００４２】
このように構成された第２の実施の形態に係る簡易基礎６１による場合であっても、極めて簡単に施工することができるばかりではなく、該簡易基礎６１は、上記第１ないし第４の傾斜ガイド管７，８，６２，６３内に挿通され地中に突き刺される傾斜ピンにより地上に固定されることから、より一層安定した固定状態を実現することができる。
【００４３】
なお、上記第１及び第２の実施の形態に係る簡易基礎１，６１では、何れも天板部５の下方に当接板部９を当接部として配置・固定したものを図示して説明したが、本発明は、必ずしもこうした当接板部９ないし当接部を設ける必要はなく、上記高さ調節装置１１の中央昇降部材２３の上面が該高さ調節装置１１の伸長操作により、天板部５の下面に当接するものであっても良い。また、当接部を構成要素とする場合であっても、少なくとも、上述したように、高さ調節装置１１の中央昇降部材２３の上面が該高さ調節装置１１の伸長操作により当接する部位が形成されていれば、必ずしも、上記長方形状に成形されていることなく水平に形成されてなるもの、或いは、水平方向に軸や突起等が形成されているものであっても良い。
【符号の説明】
【００４４】
１  簡易基礎
２  底板部
２ａ  挿通穴
３  第１の側板部
３ａ  第１の切欠き部
４  第２の側板部
４ａ  第２の切欠き部
５  天板部
７  第１の傾斜ガイド管
８  第２の傾斜ガイド管
１０  装置配置空間
１１  高さ調節装置
４１  垂直ピン
４３  第１の傾斜ピン
４４  第２の傾斜ピン
６１  簡易基礎
６２  第３の傾斜ピン
６３  第４の傾斜ピン
【図１】
2014084664.tif 000003
【図２】
2014084664.tif 000004
【図３】
2014084664.tif 000005
【図４】
2014084664.tif 000006
【図５】
2014084664.tif 000007
【図６】
2014084664.tif 000008
【図７】
2014084664.tif 000009
【図８】
2014084664.tif 000010
【図９】
2014084664.tif 000011
【図１０】
2014084664.tif 000012
【図１１】
2014084664.tif 000013
【図１２】
2014084664.tif 000014
【図１３】
2014084664.tif 000015
【図１４】
2014084664.tif 000016
【図１５】
2014084664.tif 000017
【図１６】
2014084664.tif 000018